(57)【要約】【目的】キーボード等の凹凸部分の狭小な隙間部分に侵入した塵埃であっても極めて容易且つ手軽に清掃可能なキーボード等の凹凸部材の洗浄方法及び洗浄剤を提供する。【構成】水とポリビニルアルコールと四ホウ酸ナトリウムとを混合して生成したゲル状混合物を、キーボード等の凹凸部材である被洗浄物の洗浄面積に応じて延伸平坦化し、該被洗浄物の表面に載置し、該ゲル状混合物が被洗浄物の洗浄を要する部分に付着した後に該ゲル状混合物を被洗浄物から剥離・除去することを特徴とするキーボード等の凹凸部材の洗浄方法である。【選択図】        図１
2009040888.tif 000002
【特許請求の範囲】
【請求項１】
水とポリビニルアルコールと四ホウ酸ナトリウムとを混合して生成したゲル状混合物を、キーボード等の凹凸部材である被洗浄物の洗浄面積に応じて延伸平坦化し、該被洗浄物の表面に載置し、該ゲル状混合物が被洗浄物の洗浄を要する部分に付着した後に該ゲル状混合物を被洗浄物から剥離・除去することを特徴とするキーボード等の凹凸部材の洗浄方法。
【請求項２】
水とポリビニルアルコールと四ホウ酸ナトリウムとを混合して生成したゲル状混合物の小塊を、キーボード等の凹凸部材である被洗浄物の洗浄面積に応じて小塊同士が接触するように連続的に該被洗浄物の表面に載置し、該ゲル状混合物の小塊が被洗浄物の洗浄を要する部分に付着した後に該ゲル状混合物を被洗浄物から剥離・除去することを特徴とするキーボード等の凹凸部材の洗浄方法。
【請求項３】
水とポリビニルアルコールと四ホウ酸ナトリウムとを混合して生成したゲル状混合物をスプレー式容器に収納し、該スプレー式容器に収納されたゲル状混合物を、キーボード等の凹凸部材である被洗浄物の洗浄面積に応じて該ゲル状混合物同士が接触するように連続的に撒布し、該撒布されたゲル状混合物が被洗浄物の洗浄を要する部分に付着した後に該ゲル状混合物を被洗浄物から剥離・除去することを特徴とするキーボード等の凹凸部材の洗浄方法。
【請求項４】
被洗浄物の表面に載置又は撒布した後、少なくとも１０秒経過した後に剥離・除去することを特徴とする請求項１〜３のいずれかに記載のキーボード等の凹凸部材の洗浄方法。
【請求項５】
ゲル状混合物をキーボード等の凹凸部材である被洗浄物の表面に載置又は撒布し、該ゲル状混合物が被洗浄物の洗浄を要する部分に付着した後に載置又は撒布した該ゲル状混合物を被洗浄物から剥離・除去することで該被洗浄物を洗浄する洗浄剤であって、該洗浄剤が、水とポリビニルアルコールと四ホウ酸ナトリウムとを混合して生成されたゲル状混合物であることを特徴とするキーボード等の凹凸部材の洗浄剤。
【請求項６】
前記ゲル状混合物が、スプレー式容器に収納された構成であることを特徴とする請求項５に記載のキーボード等の凹凸部材の洗浄剤。
【請求項７】
前記スプレー式容器が、前記ゲル状混合物と共に高圧ガスを封入し、容器口部に設けられた下記構成の吐出口部から前記ゲル状混合物を吐出可能な構成であることを特徴とする請求項６に記載のキーボード等の凹凸部材の洗浄剤。
（吐出口部の構成）
吐出口部となる吐出筒体が容器口部にパッキンを介して取り付けられており、該吐出筒体は正位置では前記パッキンにより容器内部との連通部が封止され、パッキンの弾性力に抗して該吐出筒体を傾けることで前記連通部と前記パッキンとの封止部分に間隙が生じて前記連通部の封止が解除されて容器内部と連通状態となって前記ゲル状混合物を吐出する構成を有する。
【発明の詳細な説明】
【技術分野】
【０００１】
本発明はキーボード等の凹凸部材の洗浄方法及び洗浄剤に関し、詳しくはパソコン等のキーボードや電話・電卓等のテンキー等の凹凸部材の洗浄方法及び洗浄剤に関する。
【背景技術】
【０００２】
パソコン等のキーボード、電話・電卓等のテンキー、その他の家具等の狭小部分の凹凸部材の隙間や凹みには塵埃等が入り易く、これらの部分は清掃し難い部分であるため汚れの除去は極めて困難である。
【０００３】
従来、キーボード等の凹凸部材を清掃するには、折り畳んだ布の先端部等で擦ったり、先端が先細状や偏平状に形成された部材に専用または汎用の清掃シート材等を装着して前記先細状や偏平状の部分を利用して隙間や凹みの清掃を行っていた（特許文献１〜３等参照）。
【０００４】
また、キーボード自体をゴミ等の浸入を防止した構成とする技術も知られている（特許文献４参照）が、現在使用中の既存のキーボードや汎用品等には適用不可能である。
【０００５】
【特許文献１】特開２００３−１６４４０６
【特許文献２】特開平０９−１５４７９１
【特許文献３】実開平０５−０５１２４２
【特許文献４】特開平０５−０４６２９２
【発明の開示】
【発明が解決しようとする課題】
【０００６】
しかし従来の清掃方法では、キーボード等のように多数の凹凸小部材を有する物品の清掃では、各キー間の隙間が多いため清掃に手間がかかると共に細かい狭小部分に入り込んだ塵埃の除去や汚れ落しは煩雑且つ困難であった。
【０００７】
特にパソコンのキーボードの清掃では、キーとキーとの隙間に布や清掃用具の先端を挿し入れた際に塵埃等をより奥部分に押し込んでしまうことが多く、キー奥のスイッチユニットへの塵埃の侵入を助長してしまうという欠点があった。
【０００８】
そこで本発明の課題は、キーボード等の凹凸部分の狭小な隙間部分に侵入した塵埃であっても極めて容易且つ手軽に清掃可能なキーボード等の凹凸部材の洗浄方法及び洗浄剤を提供することにある。
【課題を解決するための手段】
【０００９】
上記課題を解決する本発明は下記構成を有する。
【００１０】
１．水とポリビニルアルコールと四ホウ酸ナトリウムとを混合して生成したゲル状混合物を、キーボード等の凹凸部材である被洗浄物の洗浄面積に応じて延伸平坦化し、該被洗浄物の表面に載置し、該ゲル状混合物が被洗浄物の洗浄を要する部分に付着した後に該ゲル状混合物を被洗浄物から剥離・除去することを特徴とするキーボード等の凹凸部材の洗浄方法。
【００１１】
２．水とポリビニルアルコールと四ホウ酸ナトリウムとを混合して生成したゲル状混合物の小塊を、キーボード等の凹凸部材である被洗浄物の洗浄面積に応じて小塊同士が接触するように連続的に該被洗浄物の表面に載置し、該ゲル状混合物の小塊が被洗浄物の洗浄を要する部分に付着した後に該ゲル状混合物を被洗浄物から剥離・除去することを特徴とするキーボード等の凹凸部材の洗浄方法。
【００１２】
３．水とポリビニルアルコールと四ホウ酸ナトリウムとを混合して生成したゲル状混合物をスプレー式容器に収納し、該スプレー式容器に収納されたゲル状混合物を、キーボード等の凹凸部材である被洗浄物の洗浄面積に応じて該ゲル状混合物同士が接触するように連続的に撒布し、該撒布されたゲル状混合物が被洗浄物の洗浄を要する部分に付着した後に該ゲル状混合物を被洗浄物から剥離・除去することを特徴とするキーボード等の凹凸部材の洗浄方法。
【００１３】
４．被洗浄物の表面に載置又は撒布した後、少なくとも１０秒経過した後に剥離・除去することを特徴とする上記１〜３のいずれかに記載のキーボード等の凹凸部材の洗浄方法。
【００１４】
５．ゲル状混合物をキーボード等の凹凸部材である被洗浄物の表面に載置又は撒布し、該ゲル状混合物が被洗浄物の洗浄を要する部分に付着した後に載置又は撒布した該ゲル状混合物を被洗浄物から剥離・除去することで該被洗浄物を洗浄する洗浄剤であって、該洗浄剤が、水とポリビニルアルコールと四ホウ酸ナトリウムとを混合して生成されたゲル状混合物であることを特徴とするキーボード等の凹凸部材の洗浄剤。
【００１５】
６．前記ゲル状混合物が、スプレー式容器に収納された構成であることを特徴とする上記５に記載のキーボード等の凹凸部材の洗浄剤。
【００１６】
７．前記スプレー式容器が、前記ゲル状混合物と共に高圧ガスを封入し、容器口部に設けられた下記構成の吐出口部から前記ゲル状混合物を吐出可能な構成であることを特徴とする上記６に記載のキーボード等の凹凸部材の洗浄剤。
（吐出口部の構成）
吐出口部となる吐出筒体が容器口部にパッキンを介して取り付けられており、該吐出筒体は正位置では前記パッキンにより容器内部との連通部が封止され、パッキンの弾性力に抗して該吐出筒体を傾けることで前記連通部と前記パッキンとの封止部分に間隙が生じて前記連通部の封止が解除されて容器内部と連通状態となって前記ゲル状混合物を吐出する構成を有する。
【発明の効果】
【００１７】
請求項１〜３又は５に示す発明によれば、キーボード等の凹凸部分の狭小な隙間部分に侵入した塵埃であっても極めて容易且つ手軽に清掃可能なキーボード等の凹凸部材の洗浄方法又は洗浄剤を提供することができる。
【００１８】
キーボード等の凹凸部材である被洗浄物の表面に載置又は撒布したゲル状混合物が被洗浄物への密着により該被洗浄物に付着している塵埃や汚れにゲル状混合物側が密着し、この密着により塵埃や汚れは被洗浄物側からゲル状混合物側に吸着移動する。塵埃や汚れが吸着移動したゲル状混合物を被洗浄物から剥離・除去することにより、前記塵埃や汚れはゲル状混合物と共に被洗浄物から取り除かれることになる。
【００１９】
また、洗浄剤であるゲル状混合物は、キーボード等のキー間等の狭小な隙間部分にまで入り込んだ状態で被洗浄物に密着するので、隙間部分にまで侵入していた塵埃の除去が可能となる。ゲル状混合物を被洗浄物から剥離・除去する際、狭小な隙間部分にまで入り込んだゲル状混合物は分断・分離することがないので、被洗浄物側にゲル状混合物の一部が残留してしまうことがない。
【００２０】
更に、洗浄剤であるゲル状混合物は、繰り返し使用が可能であり、捏ね直しや水分補給等により洗浄性の低下を抑制することができる。
【００２１】
特に請求項１に示す発明によれば、ゲル状混合物を被洗浄物の洗浄面積に応じて延伸平坦化し、該被洗浄物の表面に載置する構成により、ゲル状混合物は自重により被洗浄物に単に付着するだけでなく、狭小な隙間部分に入り込んだり、微妙な凹凸に応じて密着した状態で付着するので、これらの細かな部分まで洗浄することができる。
【００２２】
特に請求項２に示す発明によれば、ゲル状混合物の小塊を被洗浄物の洗浄面積に応じて小塊同士が接触するように連続的に該被洗浄物の表面に載置する構成により、ゲル状混合物はそのゲル化特性により接触した小塊同士が結合して一塊になると共に自重により被洗浄物に単に付着するだけでなく、狭小な隙間部分に入り込んだり、微妙な凹凸に応じて密着した状態で付着するので、これらの細かな部分まで洗浄することができる。
【００２３】
特に請求項３に示す発明によれば、ゲル状混合物をスプレー式容器に収納し、該スプレー式容器に収納されたゲル状混合物を、キーボード等の凹凸部材である被洗浄物の洗浄面積に応じて該ゲル状混合物同士が接触するように連続的に撒布する構成により、ゲル状混合物はそのゲル化特性により撒布されたゲル状混合物同士が結合して一塊になると共に自重により被洗浄物に単に付着するだけでなく、狭小な隙間部分に入り込んだり、微妙な凹凸に応じて密着した状態で付着するので、これらの細かな部分まで洗浄することができる。
【００２４】
請求項４に示す発明によれば、被洗浄物表面に載置又は撒布したゲル状混合物を、少なくとも１０秒経過した後に該被洗浄物から剥離・除去することで該被洗浄物に付着していた塵埃や汚れを奇麗に取り除くことができる。
【００２５】
請求項６に示す発明によれば、ゲル状混合物がスプレー式容器に収納された構成により、被洗浄物の洗浄ポイントへの前記ゲル状混合物の撒布が容易となる。
【００２６】
請求項７に示す発明によれば、吐出口部の吐出筒体を手指等でパッキンの弾性力に抗して傾けるだけで、スプレー式容器に高圧ガスと共に収納されたゲル状混合物を吐出させることができる。吐出筒体から手指等を離すだけで該吐出筒体は正位置に復帰し、この正位置への復帰によって容器内部との連通部が封止されるので、ゲル状混合物の吐出を直ちに停止することができる。
【発明を実施するための最良の形態】
【００２７】
次に、添付の図面に従って本発明を更に詳細に説明する。
図１は本発明に係るキーボード等の凹凸部材の洗浄方法の一実施例を示す概略説明図、図２は図１（Ｂ）の要部概略断面図、図３は本発明に係るキーボード等の凹凸部材の洗浄方法の他の実施例を示す概略説明図、図４は本発明に係るキーボード等の凹凸部材の洗浄方法の他の実施例を示す概略説明図、図５は本発明に係るキーボード等の凹凸部材の洗浄剤を収納するスプレー式容器の一実施例を示す概略断面説明図である。
【００２８】
本発明は、水とポリビニルアルコールと四ホウ酸ナトリウムとを混合して生成したゲル状混合物である洗浄剤を、塵埃や汚れ等が付着したパソコン等のキーボードや電話・電卓等のテンキー等の凹凸部材である被洗浄物の表面に載置又は撒布し、該ゲル状混合物が被洗浄物の洗浄を要する部分に付着した後に載置又は撒布した該ゲル状混合物を被洗浄物から剥離・除去することにより、キーボード等の凹凸部材である被洗浄物を洗浄するものである。
【００２９】
ゲル状混合物である洗浄剤の作成方法の一例を以下に示す。
先ず、四ホウ酸ナトリウムを水に溶かして（割合は四ホウ酸ナトリウム：水＝１：１０程度）、四ホウ酸ナトリウム水溶液を生成する。
次にポリビニルアルコールを水に溶かして（割合は１：１程度）、ポリビニルアルコール水溶液を生成する。
できあがったポリビニルアルコール水溶液に、四ホウ酸ナトリウム水溶液を飽和量だけ入れて手早く攪拌する（割合はポリビニルアルコール水溶液：四ホウ酸ナトリウム水溶液＝１０：１程度）。
攪拌によりゲル状混合物ができあがる。
【００３０】
できあがったゲル状混合物である洗浄剤１は、図１の（Ａ）に示すように、塵埃や汚れ等の洗浄を要する被洗浄物であるキーボード等の凹凸部材２の表面に載置する。
【００３１】
洗浄剤１の載置は、図１（Ａ）に示す本実施例では、洗浄剤１である前記ゲル状混合物をキーボード等の凹凸部材２の洗浄面積に応じて延伸平坦化し、該延伸平坦化した洗浄剤１をキーボード等の凹凸部材２の表面に載置することで行う。
【００３２】
洗浄剤１であるゲル状混合物の延伸平坦化は、瓶やボトル等の容器に充填又は収納された洗浄剤１をスプーンや手指等によってすくい、洗浄面積に応じた面積となるように手指等で延伸し平坦化することで行う。
【００３３】
尚、洗浄面積が広い場合や洗浄剤１の粘度が低目である場合等には、洗浄剤１を２回以上の分量に分けて延伸平坦化したものをキーボード等の凹凸部材２の表面に載置してもよい。２回以上に分けて載置する場合であっても、載置後、２回以上に分けて載置された洗浄剤１であるゲル状混合物は直ちに結合し始めて一塊の結合した状態｛図１（Ｂ）に示す状態と同様の状態｝となる。
【００３４】
また、洗浄剤１であるゲル状混合物は、該ゲル状混合物が有するゲル特性によって、図２に示すようにキーボード等の凹凸部材２のキー２０・２０間等の狭小な隙間部分や該隙間部分の奥にまで入り込んだ状態となる。
【００３５】
載置する洗浄剤１の分量は、被洗浄物であるキーボード等の凹凸部材２の洗浄を要する部分の全域を被覆するに充分な量が必要である。図１（Ｂ）は、洗浄を要する部分であるキーボード等の凹凸部材２のキー２０部分の内のメインキー部分（テンキーやファンクションキーを除いた部分）全域を洗浄剤１が被覆した状態を示す。
【００３６】
キーボード等の凹凸部材２に載置した洗浄剤１は、該洗浄剤１であるゲル状混合物がキーボード等の凹凸部材２の洗浄を要する部分に付着するまで図１（Ｂ）の状態のまま放置する。洗浄を要する部分に付着するまでの時間の目安としては、少なくとも１０秒、好ましくは２０秒〜１分であるが、かかる時間は、被洗浄物の汚れ具合・汚れの種類・塵埃量等の種々条件によって変わるものであるので、被洗浄物の状態によって適宜変更調整することが好ましい。
【００３７】
上記した時間の経過後、即ち、被洗浄物２の洗浄を要する部分に洗浄剤１であるゲル状混合物が付着し、被洗浄物であるキーボード等の凹凸部材２の塵埃や汚れが洗浄剤１側に吸着移動するに充分な時間が経過した後、載置した該ゲル状混合物である洗浄剤１を図１（Ｃ）に示すように被洗浄物２から手指等によって剥離・除去する。
【００３８】
キーボード等の凹凸部材２である被洗浄物の表面に載置したゲル状混合物が被洗浄物への密着により該被洗浄物に付着している塵埃や汚れにゲル状混合物側が密着し、この密着により塵埃や汚れは被洗浄物側からゲル状混合物側に吸着移動する。塵埃や汚れが吸着移動したゲル状混合物を被洗浄物から剥離・除去することにより、前記塵埃や汚れはゲル状混合物と共に被洗浄物から奇麗に取り除かれることになる。
【００３９】
洗浄剤１の剥離・除去の際、キーボード等の凹凸部材２のキー２０・２０間等の狭小な隙間部分及び該隙間部分の奥にまで入り込んだ部分も分離・分断することなく塊を維持した状態で除去することができる。従って、キー２０・２０間等の隙間部分や該隙間の奥にまで侵入していた塵埃や汚れを除去することができると共に、洗浄剤１自体をキー２０・２０間等の狭小な隙間部分の奥に残留させてしまうような不都合もない。
【００４０】
以上の方法により、キーボード等の凹凸部材２の洗浄を行うことができるが、一回の洗浄では洗浄が不充分で塵埃や汚れが残存している場合には、洗浄剤１の載置を再度行う。このとき、載置する洗浄剤１としては、新たな洗浄剤１を用いてもよいが、使用済みの洗浄剤１を再使用してもよい。再使用の場合、手指等で捏ね直して前回の洗浄の際にキーボード等の凹凸部材２の表面に付着した面とは異なる面を表面に露出させることが好ましい。
【００４１】
洗浄剤１を繰り返し使用する際、洗浄剤１の水分量が低下している場合には水分補給を行うことが好ましい。捏ね直しや水分補給等により洗浄性の低下を抑制することができる。
【００４２】
以上、本発明に係るキーボード等の凹凸部材の洗浄方法の一実施例について説明したが、本発明は上記に限定されず、本発明の範囲内で他の種々の態様、例えば、下記するような態様を採ることができる。
【００４３】
図３（Ａ）に示すように、洗浄剤１であるゲル状混合物を２以上の小塊に分離した状態で、キーボード等の凹凸部材２の表面に載置してもよい。小塊の載置は、洗浄面積に応じて小塊同士が接触するように連続的に載置することで行う。載置後、２以上の小塊に分けて載置された洗浄剤１であるゲル状混合物は直ちに結合し始めて図３（Ｂ）に示すように一塊の結合した状態｛図２（Ｂ）に示す状態と同様の状態｝となる。載置後の態様は、前記した実施例と同様であり、洗浄剤１であるゲル状混合物が洗浄を要する部分に付着した後、図３（Ｃ）に示すように剥離・除去することでキーボード等の凹凸部材２に付着していた塵埃や汚れを取り除くことができる。
【００４４】
また、洗浄剤１であるゲル状混合物をスプレー式容器１０に収納し、図４（Ａ）に示すように、該スプレー式容器１０による吐出によって洗浄剤１の撒布を行うことが好ましい。スプレー式容器１０による撒布は、洗浄面積に応じて撒布されたゲル状混合物同士が接触するように連続的に撒布することで行う。撒布後、連続的に撒布された洗浄剤１であるゲル状混合物は直ちに結合し始めて図４（Ｂ）に示すように一塊の結合した状態｛図２（Ｂ）に示す状態と同様の状態｝となる。撒布後の態様は、前記した実施例と同様であり、洗浄剤１であるゲル状混合物が洗浄を要する部分に付着した後、図４（Ｃ）に示すように剥離・除去することでキーボード等の凹凸部材２に付着していた塵埃や汚れを取り除くことができる。
【００４５】
図４（Ａ）に示すスプレー式容器１０による洗浄剤１の撒布では、ゲル状混合物を洗浄ポイントへ容易に撒布することができる。
【００４６】
図４（Ａ）に示す実施例に用いることができるスプレー式容器１０としては、図５に示す構成であることが好ましい。
【００４７】
即ち、スプレー式容器１０は、前記ゲル状混合物１と共に高圧ガス３を封入し、容器口部１１に設けられた吐出口部となる吐出筒体１２から前記ゲル状混合物１を吐出する構成を有する。
【００４８】
吐出口部となる吐出筒体１２は、容器口部１１（及び容器口部蓋部材１６）にパッキン１３を介して取り付けられており、該吐出筒体１２は図５（Ａ）に示す正位置では前記パッキン１３により容器１０内部との連通部１４が封止され、パッキン１３の弾性力に抗して該吐出筒体１２を図５（Ｂ）に示すように傾けることで前記連通部１４と前記パッキン１３との封止部分１５に間隙が生じて前記連通部１４の封止が解除されて容器１０内部と連通状態となって前記ゲル状混合物１を吐出する。図５（Ｂ）に示す矢符Ｘは、ゲル状混合物１の吐出経路を表す。
【００４９】
ゲル状混合物１の吐出の際、吐出筒体１２を手指等によって直接傾けてもよいが、該吐出筒体１２にトリガー等の冶具類を付加して該冶具類を介して傾けるようにしてもよい。
【００５０】
ゲル状混合物１の吐出を停止するには、吐出筒体１２が傾くように負荷していた力（例えば、手指等によって傾けていた力）を解除する（例えば、手指等を離す）だけで該吐出筒体１２は正位置に復帰し、この正位置への復帰によって容器１内部との連通部１４が封止されるので、ゲル状混合物１の吐出を直ちに停止することができる。
【００５１】
本実施例において、ゲル状混合物１と共にスプレー式容器１０に封入されて、該ゲル状混合物１の吐出の際の吐出力となる高圧ガス３としては、ガス噴射タイプのスプレー容器等に用いられる公知公用のガス（例えば、ＬＰＧ、ＤＭＥ、ＣＯ２、Ｎ２等の液化ガス）を特別の制限なく用いることができる。ガス噴射タイプのスプレー式容器１０の場合、ゲル状混合物１の吐出の際の高圧ガス３のみの漏出を防いで該ゲル状混合物１を確実に吐出するために該スプレー式容器１０は下向きの状態で使用する。
【００５２】
本発明に用いられるスプレー式容器としては、図４及び図５に示す実施例に限定されず、公知公用のトリガー式スプレー容器、ポンプボトル等のスプレー容器であってもよく、また、ゲル状混合物と共に封入した高圧ガスによる吐出方式を用いたスプレー容器に限らず、ノンガスタイプのスプレー容器を用いることもできる。
【図面の簡単な説明】
【００５３】
【図１】本発明に係るキーボード等の凹凸部材の洗浄方法の一実施例を示す概略説明図
【図２】図１（Ｂ）の要部概略断面図
【図３】本発明に係るキーボード等の凹凸部材の洗浄方法の他の実施例を示す概略説明図
【図４】本発明に係るキーボード等の凹凸部材の洗浄方法の他の実施例を示す概略説明図
【図５】本発明に係るキーボード等の凹凸部材の洗浄剤を収納するスプレー式容器の一実施例を示す概略断面説明図
【符号の説明】
【００５４】
１  洗浄剤
１０  スプレー式容器
１１  容器口部
１２  吐出筒体
１３  パッキン
１４  連通部
１５  封止部分
１６  容器口部蓋部材
２  キーボード等の凹凸部材
２０  キー
３  高圧ガス
【図１】
2009040888.tif 000003
【図２】
2009040888.tif 000004
【図３】
2009040888.tif 000005
【図４】
2009040888.tif 000006
【図５】
2009040888.tif 000007